(57)【特許請求の範囲】
【請求項１】
無線信号送受信手段とリモコンＩＤナンバーが登録設定されるリモコンＩＤナンバー登録部とを有して該リモコンＩＤナンバー登録部に予め燃焼機器の個別のリモコンＩＤナンバーが登録設定されている燃焼機器と、無線信号送受信手段とＩＤナンバーが登録設定されるＩＤナンバー登録部とを有して該ＩＤナンバー登録部に前記燃焼機器のリモコンＩＤナンバーと同じＩＤナンバーが登録設定されたＩＤ登録リモコンとが無線信号によって相互通信される燃焼機器のリモコン通信システムであって、燃焼機器には複数の燃焼機器に共通のマスターナンバーが予め登録設定されたマスターナンバー登録部を設け、該マスターナンバーを有し該マスターナンバーにより複数の燃焼機器と無線信号による相互通信可能なマスターリモコンを用意し、該マスターリモコンには燃焼機器に登録設定されているリモコンＩＤナンバーを問い合わせるＩＤナンバー問い合わせ手段と、この問い合わせを受けて燃焼機器から回答されたリモコンＩＤナンバーと等しいＩＤナンバーを仮のＩＤナンバーとして登録設定する書き込み自在の仮ＩＤナンバー登録部と、該仮ＩＤナンバー登録部に登録された仮のＩＤナンバーと前記マスターナンバーとの切り替えを行うナンバー切り替え手段を設けたことを特徴とする燃焼機器のリモコン通信システム。
【請求項２】
燃焼機器にはマスターリモコンのＩＤナンバー問い合わせ手段からの問い合わせを受けたときに該燃焼機器に登録設定されているリモコンＩＤナンバーの回答を許可するための手動のＩＤナンバー回答許可操作手段と、該ＩＤナンバー回答許可操作手段の操作が行われた以降にのみ前記マスターリモコンのＩＤナンバー問い合わせに対するＩＤナンバー回答の許可信号を出力するＩＤナンバー回答許可手段を設けたことを特徴とする請求項１記載の燃焼機器のリモコン通信システム。
【請求項３】
複数の燃焼機器に共通のマスターナンバーが予め登録設定されたマスターナンバー登録部を有することを特徴とする請求項１又は請求項２記載の燃焼機器のリモコン通信システムに用いられる燃焼機器。
【請求項４】
マスターリモコンのＩＤナンバー問い合わせ手段からの問い合わせを受けたときに該燃焼機器に登録設定されているリモコンＩＤナンバーの回答を許可するための手動のＩＤナンバー回答許可操作手段と、該ＩＤナンバー回答許可操作手段の操作が行われた以降にのみ前記マスターリモコンのＩＤナンバー問い合わせに対するＩＤナンバー回答の許可信号を出力するＩＤナンバー回答許可手段を有することを特徴とする請求項２記載の燃焼機器のリモコン通信システムに用いられる燃焼機器。
【請求項５】
請求項１又は請求項２記載の燃焼機器のリモコン通信システムに用いられるリモコンであって、複数の燃焼機器に共通のマスターナンバーを有して該マスターナンバーにより複数の燃焼機器と無線信号による相互通信可能であり、燃焼機器に登録設定されているリモコンＩＤナンバーを問い合わせるＩＤナンバー問い合わせ手段と、この問い合わせを受けて燃焼機器から回答されたリモコンＩＤナンバーと等しいＩＤナンバーを仮のＩＤナンバーとして登録設定する書き込み自在の仮ナンバー登録部と、該仮ＩＤナンバー登録部に登録した仮のＩＤナンバーと前記マスターナンバーとの切り替えを行うナンバー切り替え手段を有することを特徴とするリモコン。
【発明の詳細な説明】
【０００１】
【発明の属する技術分野】
本発明は、給湯器等の燃焼機器とそのリモコンとを無線信号によって相互通信する燃焼機器のリモコン通信システムおよびその通信システムに用いられる燃焼機器およびリモコンに関するものである。
【０００２】
【従来の技術】
図４に示すように、燃焼機器として一般的に用いられている給湯器１には制御装置２が設けられており、制御装置２にはリモコン４が信号接続されている。この制御装置２とリモコン４との信号接続は、有線により行われているものもあるが、最近では、無線信号によって制御装置２とリモコン４とを信号接続し、制御装置２とリモコン４の相互通信を行う、いわゆる、ワイヤレスリモコンを用いた燃焼機器のリモコン通信システムが用いられている。
【０００３】
この通信システムにおいて、給湯器１には、無線信号送受信手段１３と、リモコンＩＤナンバーが登録設定されるリモコンＩＤナンバー登録部８とが設けられており、リモコンＩＤナンバー登録部８には、例えば”７８”といった燃焼機器の個別のリモコンＩＤナンバーが登録設定されている。一方、この燃焼機器と相互通信されるリモコン（ＩＤ登録リモコン）４には無線信号送受信手段１４と、ＩＤナンバーが登録設定されるＩＤナンバー登録部５とが設けられており、このＩＤナンバー登録部５に燃焼機器のリモコンＩＤナンバー、すなわち、同図に示すリモコン４においては”７８”が登録設定されている。
【０００４】
そして、このように、燃焼機器のリモコンＩＤナンバーと同じＩＤナンバーが登録設定されたリモコン４のみが無線信号によって燃焼機器と相互通信され、ＩＤナンバー登録部５に登録設定されているＩＤナンバーが燃焼機器のリモコンＩＤナンバーと異なるリモコン４は、燃焼機器との相互通信ができないようになっている。このように、燃焼機器のリモコンＩＤナンバーと同じＩＤナンバーが登録設定されたリモコン４のみが無線信号によって燃焼機器と相互通信できるようにすることで、例えばマンション等の集合住宅において、リモコン４の操作により、隣の家に設けられた給湯器１等の燃焼機器が動作するといった問題が生じることを抑制している。
【０００５】
なお、例えば、リモコン４には運転ボタンや給湯湯温を設定する給湯温度設定ボタンや、給湯器１の不具合時のエラー情報を表示する表示部等が設けられており、制御装置２は、リモコン４の運転ボタンからの運転指令によって制御装置２をオン状態とし、給湯栓（図示せず）が開けられて通水がセンサにより検出されると、バーナの燃焼を行い、リモコン４側で指定された給湯設定温度となるようにバーナ燃焼制御を行い、動作異常が自己判断により検出されたときには、その異常信号を無線信号を介してリモコン４側に送り、リモコン４の表示部にエラーを表示している。
【０００６】
また、給湯機能と風呂機能を備えた複合給湯器の場合も、リモコン４側で風呂の自動湯張り運転や、追い焚き等の運転指令が無線信号によって制御装置２側に送られ、このリモコン指令を受けて、制御装置２側ではリモコン４で指令された運転動作を行い、器具の異常等が生じた場合には、これを自己判断して、異常検知信号を無線信号を介してリモコン４に送り、リモコン４の表示部にエラーを表示するようにしている。
【０００７】
【発明が解決しようとする課題】
しかしながら、上記のような燃焼機器のリモコン通信システムにおいては、燃焼機器に登録されているリコンＩＤナンバーと同じＩＤナンバーが登録設定されたリモコン４のみが燃焼機器と相互通信できるようになっており、それ以外のリモコン４は燃焼機器との相互通信を行うことができないために、燃焼機器と同じＩＤナンバーが登録設定されたリモコン４を紛失してしまったときに、リモコン４を用いて燃焼機器の操作を行うことができなくなってしまうといった問題があった。
【０００８】
また、マンション等の集合住宅において、住宅施工時に、同一機能を有する給湯器１等の燃焼機器を各家毎に配置することがあるが、このような場合に、例えば燃焼機器の施工時に、各家毎に配置された複数の燃焼機器を同時に作動させて試運転を行うことができれば、非常に効率的に燃焼機器の試運転を行うことが可能であり、非常に便利であると考えられるが、従来は、前記の如く、燃焼機器に登録されたリモコンＩＤナンバーと同じＩＤナンバーが登録設定されたＩＤナンバー登録リモコン４だけが燃焼機器と無線信号による相互通信を行うことができるために、上記のように、同時に複数の燃焼機器を作動させるためには、複数のリモコン４を同時に操作しなければならないために、その操作を行うことは困難であった。
【０００９】
本発明は上記課題を解決するために成されたものであり、その目的は、例えばマンション等の集合住宅等において複数の燃焼機器を同時に可動させることが可能であり、且つ、個別の燃焼機器に登録されているリモコンＩＤナンバーと同じＩＤナンバーが登録されたリモコンを紛失したとしても、その燃焼機器の操作をリモコンにより行うことができる燃焼機器のリモコン通信システムおよびその通信システムに用いられる燃焼機器およびリモコンを提供することにある。
【００１０】
【課題を解決するための手段】
上記目的を達成するために、本発明は次のような構成をもって課題を解決するための手段としている。すなわち、本発明の燃焼機器のリモコン通信システムは、無線信号送受信手段とリモコンＩＤナンバーが登録設定されるリモコンＩＤナンバー登録部とを有して該リモコンＩＤナンバ登録部に予め燃焼機器の個別のリモコンＩＤナンバーが登録設定されている燃焼機器と無線信号送受信手段とＩＤナンバーが登録設定されるＩＤナンバー登録部とを有して該ＩＤナンバー登録部に前記燃焼機器のリモコンＩＤナンバーと同じＩＤナンバーが登録設定されたＩＤ登録リモコンとが無線信号によって相互通信される燃焼機器のリモコン通信システムであって、燃焼機器には複数の燃焼機器に共通のマスターナンバーが予め登録設定されたマスターナンバー登録部を設け、該マスターナンバーを有し該マスターナンバーにより複数の燃焼機器と無線信号による相互通信可能なマスターリモコンを用意し、該マスターリモコンには燃焼機器に登録設定されているリモコンＩＤナンバーを問い合わせるＩＤナンバー問い合わせ手段と、この問い合わせを受けて燃焼機器から回答されたリモコンＩＤナンバーと等しいＩＤナンバーを仮のＩＤナンバーとして登録設定する書き込み自在の仮ＩＤナンバー登録部と、該仮ＩＤナンバー登録部に登録された仮ＩＤナンバーと前記マスターナンバーとの切り替えを行うナンバー切り替え手段を設けた構成をもって課題を解決するための手段としている。
【００１１】
また、上記燃焼機器には、マスターリモコンのＩＤナンバー問い合わせ手段からの問い合わせを受けたときに該燃焼機器に登録設定されているリモコンＩＤナンバーの回答を許可するための手動のＩＤナンバー回答許可操作手段と、該ＩＤナンバー回答許可操作手段の操作が行われた以降にのみ前記マスターリモコンのＩＤナンバー問い合わせに対するＩＤナンバー回答の許可信号を出力するＩＤナンバー回答許可手段を設けたことも本発明の燃焼機器のリモコン通信システムの特徴的な構成とされている。
【００１２】
さらに、本発明の燃焼機器のリモコン通信システムに用いられる燃焼機器は、上記構成の燃焼機器のリモコン通信システムに用いられる燃焼機器であって、複数の燃焼機器に共通のマスターナンバーが予め登録設定されたマスターナンバー登録部を有する構成をもって課題を解決するための手段としている。
【００１３】
さらに、マスターリモコンのＩＤナンバー問い合わせ手段からの問い合わせを受けたときに該燃焼機器に登録設定されているリモコンＩＤナンバーの回答を許可するための手動のＩＤナンバー回答許可操作手段と、該ＩＤナンバー回答許可操作手段の操作が行われた以降にのみ前記マスターリモコンのＩＤナンバー問い合わせに対するＩＤナンバー回答の許可信号を出力するＩＤナンバー回答許可手段を有することも本発明の燃焼機器のリモコン通信システムに用いられる燃焼機器の特徴的な構成とされている。
【００１４】
さらに、本発明の燃焼機器のリモコン通信システムに用いられるリモコンは、上記構成の燃焼機器のリモコン通信システムに用いられるリモコンであって、複数の燃焼機器に共通のマスターナンバーを有して該マスターナンバーにより複数の燃焼機器と無線信号による相互通信可能であり、燃焼機器に登録設定されているリモコンＩＤナンバーを問い合わせるＩＤナンバー問い合わせ手段と、この問い合わせを受けて燃焼機器から回答されたリモコンＩＤナンバーと等しいＩＤナンバーを仮のＩＤナンバーとして登録設定する書き込み自在の仮ＩＤナンバー登録部と、該仮ＩＤナンバー登録部に登録した仮のＩＤナンバーと前記マスターナンバーとの切り替えを行うナンバー切り替え手段を有する構成をもって課題を解決するための手段としている。
【００１５】
上記構成の本発明において、燃焼機器には複数の燃焼機器に共通のマスターナンバーがマスターナンバー登録部に予め登録設定されており、このマスターナンバーを有するマスターリモコンは、マスターナンバーにより複数の燃焼機器と無線信号による相互通信が可能となっているために、例えばマンション等の集合住宅において、マスターリモコンを用いてマスターナンバーにより複数の燃焼機器と無線信号による相互通信を行うことにより、複数の燃焼機器の操作を同時に行うことが可能となる。
【００１６】
また、マスターリモコンには、燃焼機器に登録設定されているリモコンＩＤナンバーを問い合わせるＩＤナンバー問い合わせ手段が設けられており、このマスターナンバー問い合わせ手段を用いて燃焼機器にリモコンＩＤナンバーを問い合わせ、この問い合わせを受けて燃焼機器から回答されたリモコンＩＤナンバーと等しいＩＤナンバーが、仮のＩＤナンバーとしてマスターリモコンの仮ＩＤナンバー登録部に登録設定される。そして、ナンバー切り替え手段により、前記マスターナンバーと仮ＩＤナンバー登録部に登録された仮のＩＤナンバーとの切り替えを行うと、この仮のＩＤナンバーにより、前記問い合わせによる回答があった燃焼機器とのみ無線信号により相互通信が可能となり、この燃焼機器の操作を行うことが可能となる。
【００１７】
以上のように、本発明においては、マスターリモコンのマスターナンバーと仮のＩＤナンバーとの切り替えにより、マスターリモコンを、複数の燃焼機器の操作が可能なリモコンとしたり、個別の燃焼機器の操作を行うリモコンとしたりすることが可能となり、それにより、上記課題が解決される。
【００１８】
【発明の実施の形態】
以下、本発明の実施の形態を図面に基づいて説明する。なお、本実施形態例の説明において、従来例と同一名称部分には同一符号が付してあり、その重複説明は省略する。図１〜３には、本発明に係る燃焼機器のリモコン通信システムの一実施形態例の制御構成がブロック図により示されている。これらの図に示されるように、本実施形態例でも、給湯器１（１ａ、１ｂ）等の燃焼機器には、無線信号送受信手段１３（１３ａ、１３ｂ）と、リモコンＩＤナンバー登録部８（８ａ、８ｂ）が設けられており、給湯器１ａのリモコンＩＤナンバー登録部８ａには、リモコンＩＤナンバー”７８”が、給湯器１ｂのリモコンＩＤナンバー登録８ｂには、リモコンＩＤナンバー”５０”がそれぞれ登録されている。
【００１９】
また、本実施形態例の燃焼機器のリモコン通信システムにおいては、給湯器１ａ、１ｂの各制御装置２は、マスターナンバー登録部９、ＩＤナンバー回答手段１８（１８ａ、１８ｂ）、ＩＤナンバー回答許可手段１９（１９ａ、１９ｂ）、ＩＤナンバー回答許可操作手段２０（２０ａ、２０ｂ）を有して構成されている。
【００２０】
一方、本実施形態例の燃焼機器のリモコン通信システムに用いられるリモコンは、図中、３に示すマスターリモコンであり、このマスターリモコン３は、ＩＤナンバー登録部５、仮ＩＤナンバー登録部１０、ナンバー切り替え手段１１、無線信号送受信手段１５、ＩＤナンバー問い合わせ手段１２、仮ＩＤナンバー書き込み手段２１を有して構成されている。
【００２１】
各給湯器１ａ、１ｂのマスターナンバー登録部９は複数の燃焼機器に共通のマスターナンバー”００”が予め登録設定されたものである。
【００２２】
マスターリモコン３のＩＤナンバー登録部５には、このマスターナンバー”００”が登録されており、このことにより、マスターリモコン３はマスターナンバーにより複数の給湯器１ａ、１ｂ等と無線信号による相互通信可能なリモコンと成している。
【００２３】
マスターリモコン３のＩＤナンバー問い合わせ手段１２は、給湯器１ａ、１ｂ等の燃焼機器に登録設定されているリモコンＩＤナンバーを問い合わせるものであり、ＩＤナンバー問い合わせ信号を無線信号送受信手段１５を介して給湯器１ａ、１ｂ等の無線信号送受信手段１３ａ、１３ｂに加え、給湯器１ａ、１ｂ等に登録されている個別のＩＤナンバーを問い合わせる。
【００２４】
給湯器１ａ、１ｂのＩＤナンバー回答許可操作手段２０ａ、２０ｂは、それぞれ、マスターリモコン３のＩＤナンバー問い合わせ手段１２からの問い合わせを受けたときに、給湯器１ａ、１ｂに登録設定されているリモコンＩＤナンバーの回答を許可するための手動の操作手段であり、ＩＤナンバー回答許可操作手段２０ａ、２０ｂの操作が行われたときには、この操作信号を、それぞれ、ＩＤナンバー回答許可手段１９ａ、１９ｂに加える。
【００２５】
ＩＤナンバー回答許可手段１９ａ、１９ｂは、ＩＤナンバー回答許可操作手段２０ａ、２０ｂの操作が行われた以降に、ＩＤナンバー回答許可操作手段２０ａ、２０ｂからの操作信号を受けて、マスターリモコン３のＩＤナンバー問い合わせに対するＩＤナンバー回答の許可信号を出力するものである。ＩＤナンバー回答許可手段１９ａ、１９ｂは、ＩＤナンバー回答許可操作手段２０ａ、２０ｂから操作信号が加えられた以降に、ＩＤナンバー回答の許可信号を、それぞれ、ＩＤナンバー回答手段１８ａ、１８ｂに加える。
【００２６】
ＩＤナンバー回答手段１８ａ、１８ｂは、マスターリモコン３のＩＤナンバー問い合わせ手段１２からの問い合わせを受けたときに、給湯器１ａ、１ｂの各リモコンＩＤナンバー登録部８ａ、８ｂに登録設定されているリモコンＩＤナンバーを回答する手段であり、ＩＤナンバー回答許可手段１９ａ、１９ｂからＩＤナンバー回答の許可信号が加えられているときに、マスターリモコン３のＩＤナンバー問い合わせ手段１２からＩＤナンバーの問い合わせを受けたときには、各リモコンのＩＤナンバーを回答し、それぞれ、無線信号送受信手段１３ａ、１３ｂを介して、マスターリモコン３の無線信号送受信手段１５に加える。
【００２７】
マスターリモコン３の仮ＩＤナンバー書き込み手段２１は、給湯器１ａ、１ｂ等の燃焼機器から回答されたリモコンＩＤナンバーと等しいＩＤナンバーを仮のＩＤナンバーとして仮ＩＤナンバー登録部１０に書き込み、登録設定するものであり、例えば、給湯器１ａからリモコンＩＤナンバーの回答が行われたときには、リモコン１ａのリモコンＩＤナンバーと等しいＩＤナンバー”７８”を、仮のＩＤナンバーとして書き込む。仮ＩＤナンバー登録部１０は、この書き込みにより、燃焼機器から回答されたリモコンＩＤナンバーと等しいＩＤナンバーを仮のＩＤナンバーとして登録設定する。
【００２８】
ナンバー切り替え手段１１は、仮ＩＤナンバー登録部１０に登録された仮のＩＤナンバーとマスターナンバーとの切り替えを行う手段であり、マスターリモコン３を複数の給湯器１ａ、１ｂと無線信号により相互通信させるときには、マスターナンバーによりマスターリモコン３を給湯器１ａ、１ｂ等と相互通信させ、個別の給湯器１ａ、１ｂ等とマスターリモコン３を無線信号により相互通信させるときには、仮ＩＤナンバー登録部１０に登録された仮ＩＤナンバーにより、このＩＤナンバーと等しいリモコンＩＤナンバーが登録された給湯器１と相互通信させる。
【００２９】
本実施形態例は以上のように構成されており、例えば、図１に示すように、マスターリモコン３をマスターナンバーにより可動させる状態として操作し、ＩＤナンバー問い合わせ手段１２からＩＤナンバー問い合わせ信号を出力し、無線信号送受信手段１５を介して、複数の給湯器１ａ、１ｂ等に送信する。そうすると、この無線信号は、複数の各給湯器１ａ、１ｂ等の無線信号送受信手段１３ａ、１３ｂ等により受信され、各ＩＤナンバー回答手段１８ａ、１８ｂに加えられる。
【００３０】
各ＩＤナンバー回答手段１８ａ、１８ｂは、このＩＤナンバー問い合わせ信号を受けて、各給湯器１ａ、１ｂのリモコンＩＤナンバー登録部８ａ、８ｂに登録されているリモコンＩＤナンバーを回答しようとするが、このとき、例えば、給湯器１ａのＩＤナンバー回答許可操作手段２０ａのみが操作されており、給湯器１ａのＩＤナンバー回答許可操作手段２０ｂが操作れていない状態であるとすると、給湯器１ａ側においては、ＩＤナンバー回答許可操作手段２０ａからの操作信号を受けて、ＩＤナンバー回答許可手段１９ａからマスターリモコン３のＩＤナンバー問い合わせに対するＩＤナンバー回答の許可信号が出力され、この許可信号を受けて、ＩＤナンバー回答手段１８ａからリモコンＩＤナンバーの回答が行われる。
【００３１】
そして、このリモコンＩＤナンバーが、無線信号送受信手段１３ａを介してマスターリモコン３の無線信号送受信手段１５に加えられ、図２に示すように、仮ＩＤナンバー登録部１０に、給湯器１ａのリモコンＩＤナンバーと等しいＩＤナンバー”７８”が仮ＩＤナンバー書き込み手段２１により書き込まれ、登録設定される。
【００３２】
一方、給湯器１ｂ側においては、ＩＤナンバー回答許可操作手段２０の操作が行われていないと、ＩＤナンバー回答許可手段１９ｂからＩＤナンバー回答の許可信号が出力されていないため、ＩＤナンバー回答手段１８ｂからのリモコンＩＤナンバーの回答は行われないことになる。
【００３３】
そして、この状態で、ナンバー切り替え手段１１により、仮のＩＤナンバーとマスターナンバーとの切り換えが行われると、図３に示すように、マスターリモコン３は仮のＩＤナンバーにより無線信号による相互通信を行うようになり、そうすると、マスターリモコン３は、給湯器１ａとのみ無線信号による相互通信可能なリモコンとなり、マスターリモコン３の操作により、給湯器１ａのリモコン操作が行われて、給湯器１の前記のような燃焼制御や検査動作等が行われる。
【００３４】
本実施形態例よれば、上記のように、マスターナンバーにより複数の給湯器１ａ、１ｂ等の燃焼機器と無線信号により相互通信を行うことができるために、例えば、マンション等の集合住宅において、住宅施工時等に複数の同一機能を有する給湯器１ａ、１ｂ等の燃焼機器を各家に配置し、給湯器１ａ、１ｂの施工時に、マスターリモコン３を操作することにより、複数の給湯器１ａ、１ｂ等を作動させて、複数の給湯器１ａ、１ｂ等の燃焼機器を同時に試運転させることができる。そのため、非常に効率良く燃焼機器の試運転を行うことが可能となり、非常に便利である。
【００３５】
また、本実施形態例によれば、上記動作により、マスターリモコン３により給湯器１ａ、１ｂのリモコンＩＤナンバーを問い合わせ、給湯器１ａから回答されたリモコンＩＤナンバーと等しいＩＤナンバーを仮のＩＤナンバーとして仮ＩＤナンバー登録部１０に登録し、その状態で、ナンバー切り替え手段１１により、仮のＩＤナンバーとマスターナンバーとの切り替えを行うことにより、マスターリモコン３を仮のＩＤナンバーにより無線信号による相互通信可能なリモコンとすることができるために、このようにすると、マスターリモコン３は、あたかも給湯器１ａに設けられた給湯器１ａの専用のリモコンであるかのように動作させることができる。そのため、例えば給湯器１ａと無線信号による相互通信を行うために予め設けられたリモコン（ＩＤナンバー登録リモコン）４を紛失したとしても、マスターリモコン３を用いて給湯器１ａの燃焼制御動作や検査動作等を行うことができる。
【００３６】
さらに、本実施形態例によれば、燃焼機器１ａ、１ｂに、ＩＤナンバー回答許可操作手段２０ａ、２０ｂとＩＤナンバー回答許可手段１９ａ、１９ｂをそれぞれ設け、ＩＤナンバー回答許可操作手段２０ａ、２０ｂの操作が行われた以降にのみ、ＩＤナンバー回答許可手段１９ａ、１９ｂにより、マスターリモコン３のＩＤナンバー問い合わせに対するＩＤナンバー回答の許可信号を出力するようにしたために、マスターリモコン３によるＩＤナンバー問い合わせに対して、複数の給湯器１ａ、１ｂからＩＤナンバーが回答されることを抑制することが可能となり、それにより、マスターリモコン３への仮ＩＤナンバー登録動作に支障をきたすといった問題を抑制することができる。
【００３７】
本発明は上記実施形態例に限定されることはなく様々な実施の態様を採り得る。例えば、上記実施形態例では、給湯器１ａのリモコンＩＤナンバー登録部８ａにＩＤナンバー”７８”を登録し、給湯器１ｂのリモコンＩＤナンバー登録部８ｂにリモコンＩＤナンバー”５０”を登録するようにしたが、給湯器１ａ、１ｂ等のリモコンＩＤナンバー登録部８に登録されるリモコンＩＤナンバーは特に限定されるものではなく、適宜設定されるものである。
【００３８】
また、上記実施形態例では、燃焼機器として、給湯器１ａ、１ｂを例にあげたが、本発明の燃焼機器リモコン通信システムが適用される燃焼機器は給湯器１に限定されることはなく、例えば風呂装置等の様々な燃焼機器機器に広く適用されるものである。
【００３９】
【発明の効果】
本発明によれば、複数の燃焼機器に共通のマスターナンバーを各燃焼機器のマスターナンバー登録部に登録し、このマスターナンバーを有してマスターナンバーにより複数の燃焼機器と無線信号による相互通信可能なマスターリモコンを用意して、マスターリモコンと燃焼機器の無線信号による相互通信を行うようにしたものであるから、マスターリモコンを用いて同時に複数の燃焼機器との相互通信を行うことができる。そのため、例えばマンション等の集合住宅の施工時等に同一機能の燃焼機器を複数の各家にそれぞれ配置して施工するときに、マスターリモコンと複数の燃焼機器との無線信号による相互通信を行って、複数の燃焼機器を同時に動作させ、同時に試運転等を行うこと等が可能となり、非常に効率的に燃焼機器の試運転等を行うことができる。
【００４０】
また、本発明によれば、上記マスターリモコンに、燃焼機器に登録設定されているリモコンＩＤナンバーを問い合わせるＩＤナンバー問い合わせ手段を設け、この問い合わせを受けて燃焼機器から回答されたリモコンＩＤナンバーと等しいＩＤナンバーを仮のＩＤナンバーとして仮ＩＤナンバー登録部に登録し、この登録された仮のＩＤナンバーと前記マスターナンバーとの切り替えを行うナンバー切り替え手段を設けたために、ナンバー切り替え手段による切り替えを行って、マスターリモコンを仮のＩＤナンバーにより、このＩＤナンバーと等しいリモコンＩＤナンバーが登録設定された燃焼機器とのみ相互通信させることができる。そのため、例えば燃焼機器のリモコンＩＤナンバーと同じＩＤナンバーが予め登録設定されたＩＤ登録リモコンを紛失したときなどに、上記動作によりマスターリモコンをこの燃焼機器リモコンＩＤナンバーと同じＩＤナンバーにより可動させることにより、マスターリモコンを用いて個別の燃焼機器を、その燃焼機器のみ可動させることができる。
【００４１】
以上のように、本発明によれば、上記マスターリモコンを利用し、例えば燃焼機器の設置時には全ての設置機器の動作を行わせることが可能となり、且つ、例えば個別の燃焼機器の修理作業等のときには、修理が必要な燃焼機器のみマスターリモコンを用いて動作させることが可能となり、非常に効率の良い便利な燃焼機器のリモコン通信システムを提供することができる。
【図面の簡単な説明】
【図１】本発明に係る燃焼機器のリモコン通信システムの一実施形態例の制御構成を示すブロック図である。
【図２】上記実施形態例の燃焼機器のリモコン通信システムにおいてマスターリモコンへの仮ＩＤナンバー登録動作を示す説明図である。
【図３】上記実施形態例の燃焼機器のリモコン通信システムにおいてマスターリモコン３と給湯器１ａのみの相互通信動作を示す説明図である。
【図４】従来の燃焼機器のリモコン通信システムの一例を示す説明図である。
【符号の説明】
３  マスターリモコン
５  ＩＤナンバー登録部
８，８ａ，８ｂ  リモコンＩＤナンバー登録部
９  マスターナンバー登録部
１０  仮ＩＤナンバー登録部
１１  ナンバー切り替え手段
１２  ＩＤナンバー問い合わせ手段
１９  ＩＤナンバー回答許可手段
２０  ＩＤナンバー回答許可操作手段
【図１】
0003811562.tif 000002
【図２】
0003811562.tif 000003
【図３】
0003811562.tif 000004
【図４】
0003811562.tif 000005